(57)【特許請求の範囲】
【請求項１】
使用者の手足に選択的な圧縮力を加えるための携帯用圧迫装置であって、前記装置が、
前記手足の周囲に巻き付けられる３つの相互接続された膨張可能な空気袋と、
それぞれの空気袋を選択的に膨張及び収縮するポンプ手段と、
を備え、
前記３つの相互接続された膨張可能な空気袋及び前記ポンプ手段がベースアセンブリ上に配置されており、
前記ポンプ手段が、２つ以上の可変速空気ポンプを備えており、それぞれの可変速空気ポンプがそれぞれの膨張可能な空気袋と流体連通して個別又は組み合わされた一連の内向きの圧縮力を前記手足に加え、さらに、前記空気袋の各々の圧力レベルを検出して、検出した圧力を期待される圧力レベルと比較して、各空気袋の膨張及び収縮レベルを調整するための制御手段を備えている
ことを特徴とする携帯用圧迫装置。
【請求項２】
前記ベースアセンブリが、第１のベースプレート及び第２のベースプレートを備えていることを特徴とする請求項１に記載の携帯用圧迫装置。
【請求項３】
前記３つの相互接続された膨張可能な空気袋が、前記第１のベースプレート上に配置されることを特徴とする請求項２に記載の携帯用圧迫装置。
【請求項４】
前記ポンプ手段が、前記第２のベースプレート上に配置されることを特徴とする請求項２又は３に記載の携帯用圧迫装置。
【請求項５】
前記第２のベースプレート上に配置される電源手段を備えていることを特徴とする請求項２から４のいずれか１つに記載の携帯用圧迫装置。
【請求項６】
前記制御手段が前記第２のベースプレート上に配置されていることを特徴とする請求項２から５のいずれか１つに記載の携帯用圧迫装置。
【請求項７】
それぞれの空気袋が、独立して膨張及び収縮することを特徴とする請求項１から６のいずれか１つに記載の携帯用圧迫装置。
【請求項８】
それぞれの可変速空気ポンプが、それぞれの又は全ての前記３つの相互接続された空気袋を１０〜８０ｍｍＨｇの範囲の圧力まで可変的に膨張させることを特徴とする請求項１から７のいずれか１つに記載の携帯用圧迫装置。
【請求項９】
前記ポンプ手段と連動する１つ以上の弁を備えていることを特徴とする請求項１から８のいずれか１つに記載の携帯用圧迫装置。
【請求項１０】
３つの可変速空気ポンプを備えていることを特徴とする請求項１から９のいずれか１つに記載の携帯用圧迫装置。
【請求項１１】
使用時に、前記ポンプ手段がそれぞれの空気袋を順次膨張させることを特徴とする請求項１から１０のいずれか１つに記載の携帯用圧迫装置。
【請求項１２】
前記制御手段が、ユーザインターフェースを備えていることを特徴とする請求項１から１１のいずれか１つに記載の携帯用圧迫装置。
【請求項１３】
前記３つの相互接続された空気袋を前記手足の周りに固定するために１つ以上の締結装置が使用されることを特徴とする請求項１から１２のいずれか１つに記載の携帯用圧迫装置。
【請求項１４】
前記締結装置が、面ファスナー、ボタン、ジッパー、スナップ又はその組み合わせを備えていることを特徴とする請求項１３に記載の携帯用圧迫装置。
【発明の詳細な説明】
【技術分野】
【０００１】
本発明は、患者の手足に制御された調節可能な圧縮力を加えるための携帯用装置に関する。本装置は、ふくらはぎのような脚の一部に圧迫を提供する構成として主に記載されているが、本装置はこの分野での使用に限定されるものではないと理解される。
【背景技術】
【０００２】
先行技術に関する以下の議論は、本発明の理解を容易にし、本発明の利点をより完全に理解することを可能にすることを意図している。しかしながら、明細書中の先行技術への言及は、そのような先行技術が周知であるか又はこの分野における共通の一般知識の一部を形成することの明示の又は暗示の認容であると解釈されるべきではない。
【０００３】
本発明は、静脈不全、エコノミー症候群（ＤＶＴ）又は慢性整脈障害（ＣＶＤ）のための治療中の、又は、そのリスクが高い患者の治療及びケアの改善に関する。長時間の飛行機旅行又は他のそのような交通機関により起こりえる、長時間動かないままでいること又は長時間座っていることが必要となる状況において、一般大衆により使用されることもできる。
【０００４】
脚のエコノミー症候群の患者の約４０〜５０％が、２年以内に血栓後後遺症になっている。その兆候及び症状には、色素沈着、静脈瘤、痛み及び腫れのような軽いものから、難治性浮腫、慢性疼痛及び下腿潰瘍のような主要症状が含まれる。エコノミー症候群の全ての患者には、段階的圧迫ストッキングが処方されるべきであり、又は、重傷の浮腫を煩う患者には、間欠的空気圧迫療法が処方されるべきであるとメタ分析は推奨している。
【０００５】
間欠的空気圧迫ストッキング又はＰＥＧ包帯による圧迫治療は、血栓予防及び慢性静脈疾患及びその合併症の治療に使用される。圧迫の程度は患者の個々の要因により変化する。圧迫療法は、静脈還流量及びリンパ液還流量の増加、そして浮腫及び脚の静脈圧の減少を目的とするものである。
【０００６】
患者の手足に圧縮力を提供する既存の装置は、主に病院環境内において使用される、典型的に大きくて扱いにくい装置である。その大きな寸法及び（２４０／１１０Ｖ）の主電源に依存することにより、これらの病院内装置は移動性が無く、したがって、継続的ケアのために患者が家に持ち帰ることができないものであり、又は移動中の人により使用することができないものである。
【０００７】
最近の証拠は、圧迫ストッキングの使用は血栓性合併症の発症をほとんど減少しないことを示している。問題の一部はストッキングを使用することの困難性であると思われ、したがって、特に機動性及び家族のサポートが限定される年配者には長時間の伸展性が問題である。したがって、伸展性はストッキングの主要な問題点である。さらに、Venowaveのような装置は、ふくらはぎの筋肉を外部から回転ピンのように押しつぶすものである。
【発明の概要】
【発明が解決しようとする課題】
【０００８】
本発明の目的は、上記先行技術の欠点の少なくとも１つを克服する又は改善することであり、又は、有用な代替案を提供することである。
【課題を解決するための手段】
【０００９】
本発明は、使用者の手足に選択的な圧縮力を加えるための携帯用圧迫装置であって、前記装置が、前記手足の周囲に巻き付けられる３つの相互接続された膨張可能な空気袋と、それぞれの空気袋を選択的に膨張及び収縮するポンプ手段と、を備え、前記３つの相互接続された膨張可能な空気袋及び前記ポンプ手段がベースアセンブリ上に配置されており、前記ポンプ手段が、２つ以上の可変速空気ポンプを備えており、それぞれの可変速空気ポンプがそれぞれの膨張可能な空気袋と流体連通して個別又は組み合わされた一連の内向きの圧縮力を前記手足に加え、さらに、前記空気袋の各々の圧力レベルを検出して、検出した圧力を期待される圧力レベルと比較して、各空気袋の膨張及び収縮レベルを調整するための制御手段を備えていることを特徴とする携帯用圧迫装置を提供する。
【００１０】
１つの実施形態において、ベースアセンブリが、第１のベースプレート及び第２のベースプレートを備えている。
【００１１】
１つの実施形態において、２つ以上の膨張可能な空気袋が、第１のベースプレート上に配置されている。
【００１２】
１つの実施形態において、ポンプ手段が、第２のベースプレート上に配置されている。
【００１３】
１つの実施形態において、携帯用圧迫装置が、第２のベースプレート上に配置されている電源手段を備えている。
【００１４】
１つの実施形態において、携帯用圧迫装置が、前記制御手段が第２のベースプレート上に配置されている。
【００１５】
１つの実施形態において、それぞれの空気袋が、独立して膨張及び収縮する。
【００１６】
１つの実施形態において、それぞれの可変速空気ポンプが、それぞれの又は全ての空気袋を１０〜８０ｍｍＨｇの範囲の圧力まで可変的に膨張させる。
【００１７】
１つの実施形態において、携帯用圧迫装置が、ポンプ手段と連動する１つ以上の弁を備えている。
【００１８】
１つの実施形態において、３つの相互接続された膨張可能な空気袋を備えている。
【００１９】
１つの実施形態において、３つの可変速空気ポンプを備えている。
【００２０】
１つの実施形態において、前記装置の使用中、ポンプ手段がそれぞれの空気袋を順次膨張させる。
【００２３】
１つの実施形態において、制御手段が、ユーザインターフェースを備えている。
【００２４】
１つの実施形態において、２つ以上の空気袋を手足の周りに固定するために１つ以上の締結装置が使用される。
【００２５】
１つの実施形態において、締結装置が、面ファスナー、ボタン、ジッパー、スナップ又はその組み合わせを備えている。
【００２６】
明細書中の「１つの実施形態」「いくつかの実施形態」又は「実施形態」との言及は、実施形態に関して記載されている特定の構成、構造又は特徴は、本発明の少なくとも１つの実施形態に含まれていることを意味している。したがって、明細書中の様々な箇所に記載の「１つの実施形態」「いくつかの実施形態」又は「実施形態」は、全て同じ実施形態に言及している必要はないが、そうであってもよい。さらに、この開示から当業者には明らかであるように、特定の構成、構造又は特徴は、１つ以上の実施形態において適切な方法で組み合わせることができる。
【００２７】
本発明の好ましい実施形態を、単なる例として、添付の図面を参照にして以下に記載する。
【図面の簡単な説明】
【００２８】
【図１】本発明の実施形態による、使用者の手足に圧縮力を選択的に加える為の携帯用装置の斜視図である。
【図２】図１の装置の分解斜視図である。
【図３】使用者の手足に巻き付けられようとしている図１の装置の斜視図である。
【図４】使用者の手足に巻き付けられた図１の装置の斜視図である。
【図５】使用者の手足に巻き付けられて運転中の図１の装置の斜視図である。
【図６Ａ】デスクトップコンピュータ、タブレット又はスマートフォンと有線接続している図１の装置の概略図である。
【図６Ｂ】デスクトップコンピュータ、タブレット又はスマートフォンと無線接続している図１の装置の概略図である。
【図７】図１の装置の一部分解斜視図である。
【発明を実施するための形態】
【００２９】
本発明の例となる実施形態を添付の図面を参照にして以下に詳細に記載する。図面を通して、同じ要素は同じ符号により示されている。以下の記載において、簡潔性及び明瞭性のために、ここに組み込まれている既知の機能及び構成の詳細な記載は省略されている。
【００３０】
添付の図面、まずは図１を参照にして、１つ以上の膨張可能な空気袋を通して使用者の手足に選択的にそして順次に圧縮力を加えるための携帯用装置１０を提供する。空気袋により加えられる手足への圧力は、エコノミー症候群又は慢性静脈障害のような病気を治療するための調節された外部空気圧である。装置が携帯用であることにより、移動中又は通常の活動中又は休憩中に家で使用することができる利点があり、患者は使用中に医者又は他の医療従事者に監督される必要がない。
【００３１】
図２を参照にして、前記装置１０は、第１及び第２のベースプレートを有するベースアセンブリ１２を備えている。図示される実施形態において、第１及び第２のベースプレートはそれぞれ、下部ベースプレート１４及び上部ベースプレート１６として示されている。３つの相互接続された膨張可能な空気袋１８、２０及び２２が、手足に圧力を加えるために、下部ベースプレート１４の下側に備えられている。空気袋は、その収縮状態において、図３〜５に図示されるように患者の手足に巻き付けることができるのに十分な柔軟性を有する。
【００３２】
他の図示しない実施形態においては、より多くの空気袋を使用してもよく、それらは物理的に接続されていてもよく、又は接続されていなくてもよい。更なる実施形態においては、順次の圧力を加えるために単一の膨張可能な空気袋だけが使用される。
【００３３】
さらに、図示される実施形態において、空気袋は下部ベースプレート１４の縦軸に対して横方向に伸びており、他の図示しない実施形態においては、空気袋は下部ベースプレート１４の縦軸に対して縦方向に伸びていてもよい。他の実施形態においては、どんな数の空気袋が提供されてもよく、手足の縦軸及び横軸に沿った選択的位置における圧力が提供されるように、空気袋は形作られ、配置される。例えば、図１に図示される実施形態においては、それぞれの空気袋１８、２０又は２２は、横方向に間隔があいているいくつかの個別に膨張及び収縮可能な目立たない区分に分割されることができ、それにより、空気袋により覆われた手足のどの部分に対しても選択的に個別の圧力を加えることができる個別の空気袋の配列を定義している。
【００３４】
図１及び２に戻ると、３つの可変速空気ポンプ２４、２６及び２８が、上部ベースプレート１６上に取り付けられている。それぞれの空気ポンプが、対応する開口を介して下部ベースプレートを通って対応する空気袋まで伸びている流体ニップル３２、３４及び３６を介して、対応する空気袋に流体接続される。ニップル３２、３４及び３６は、理想的にはプラスチックのような弾力性のある材料から形成され、それぞれの空気袋の開口内及び取り付け基部内の位置に熱融着される。流体ニップル及び対応する空気ポンプの供給口の間の直接係合時に、気密シールが形成される。流体ニップルは、その端部にクリップ構成体を備えることができ、前記クリップ構成体が、空気ポンプ供給口内の対応する構成体と係合する。この構成により、必要であれば空気袋を交換することができる。
【００３５】
前記装置１０は、空気ポンプが同時に又は所定の順序に従ってそれぞれの空気袋を選択的及び個別に膨張及び収縮するように配置され、それにより、使用者の手足に一連の内向きの個別又は組み合わされた圧縮力が加えられる。
【００３６】
１つ以上の充電式電池３８の形の電源手段が上部ベースプレート１６上に取り付けられる。１つの実施形態において、前記電池は少なくとも８時間までの連続運転を可能にする。また理想的には、前記装置は、電池の充電及び／又は装置の運転のための主電源にＵＳＢポート３０を介して接続されるように構成され、＋５Ｖ、１Ａ  電源／ＵＳＢ充電器により電力供給される。有利なことに、独自の電源を備えていることにより、本発明の装置はどこでも利用可能であり、航空旅行中のような移動中においても利用可能である。
【００３７】
回路基板及びマイクロプロセッサ４２を含む制御システム４０が、さらに上部ベースプレート１６上に備えられ、それにより可変速空気ポンプ２４、２６及び２８の運転を制御する。これらの側面において、可変速空気ポンプは、制御システムにより提供されるプログラミング及び順序要件によりそれぞれの空気袋に１０〜８０ｍｍＨｇのいずれかの範囲の空気圧を選択的に加えるのに適している。可変速空気ポンプ２４、２６及び２８は、理想的には可変速空圧ポンプであり、それら独自の個別のモーター駆動部を含む。しかしながら、どんな適切なポンプを使用することもできると理解されるべきである。さらに、隣接する空気袋は、プログラミング又は使用者の選択により異なる圧力要件を有することができると理解される。例えば、１つの応用においては、空気袋内で達成される最大圧力は３０、６０又は８０ｍｍＨｇになる。
【００３８】
そのような圧力の幅広い変化の理由は、単一の最大圧力は全ての患者には適切ではないことが調査において発見されたからである。脚の腫れ及び痛みの症状を抑制するために、ある患者はより低い圧力を必要とし、他の患者はより高い圧力を必要とする。
【００３９】
他の配置も可能であると理解され、単一のポンプが流体導管を介して１つ以上の空気袋に接続されることも可能であり、その逆も可能である。そのような配置において、流体接続される空気袋を選択的に膨張及び収縮させるために、弁又は他の手段が使用される。この方法により、単一の空気ポンプを使用して、個別に制御される追加の空気袋を提供することができる。
【００４０】
図示されるように、制御システム４０は、前記装置１０の一部として配置されている。他の実施形態においては、制御システムの少なくとも一部は、前記装置のベースアセンブリから分離して配置されている制御ユニット内に備えられることができる。この分離した制御ユニットは、例えば使用者により着用されるウェストパックの一部であることができる。前記装置は、それぞれの空気袋を収縮するために制御システムにより制御される図示されていない抽気システムをも含むことができる。
【００４１】
さらに、制御システム４０は、バックライト付きＬＣＤディスプレイ４４として図１及び２に図示されているユーザインタフェースを含み、電池及びポンプの状態及び他の運用情報を表示することができる。ユーザインタフェースは、１つ以上の空気袋の選択、周期的な一連の空気袋の膨張及び収縮、サイクル内のそれぞれの空気袋のそれぞれの膨張及び収縮の時間間隔、それぞれの膨張に伴う圧力及びそれぞれの圧力の期間、そして実施されるサイクルの総数の中の１つ以上を特定する運転モードを選択するために使用することができる。
【００４２】
図２により明確に図示されているように、前記装置１０の主要な要素は上部ベースプレート１６上に組み立てられている。これらについては、図示しないネジ又はクリップ式止め具が使用される。その後、上部ベースプレート１６は、ニップル３２、３４及び３６と対応する空気ポンプ２４、２６及び２８の間の前記シール係合又はクリップ固定係合により、下部ベースプレート１４に接続される。他の実施形態においては、さらにネジを使用することもできる。
【００４３】
下部ベースプレート１４は、組み立てを完成するためにカバー４６の対応する開口５８、６０及び６２とクリップ固定係合するクリップ構成体５２、５４及び５６を備える。この構成により、専用工具を必要とせずに、一般的に素早くそして簡単に組み立てることができる。要素の交換も同様に素早く簡単に行うことができ、それにより、修理に比較的費用がかからない。
【００４４】
下部ベースプレート１４、上部ベースプレート１６及びカバー４６は、理想的には、当該分野においては一般的であるように、弾力性のある、衛生的なプラスチック材料から形成される。いくつかの応用においては肌に直接接触し、他の応用においては服の上から接触する空気袋は、分離した衛生的で交換可能な材料から形成される。図示される実施形態においては、空気袋は、他の医療製品に典型的に使用されている非アレルギー性の精製ビニルから形成される。このことは、空気袋が汚れたり、損傷したりした場合には廃棄されることを可能にし、新しい空気袋又は図７に図示されているような下部ベースプレート上にクリップ係合されている相互接続された空気袋群と最小費用で交換される。
【００４５】
図６Ａ及び６Ｂに図示されているように、前記装置１０は、直接プログラミング又は監視するために、デスクトップ又は携帯用コンピュータ７０、タブレット７２又はスマートフォン７４と遠隔又は直接通信するのに適している。接続は、図６Ａに図示されているように、前記ＵＳＢポートを介してケーブルを使用する直接接続であってもよく、又は、図６Ｂに図示されているように、適切なＷｉ−Ｆｉ又はＢｌｕｅｔｏｏｔｈ接続プロトコルを使用する無線接続であってもよい。この方法により、医師による監視のために使用ログもアップロード可能であり、ポンプのホストＰＣソフトウェアプログラミング／構成も利用可能である。
【００４６】
さらに、制御システム４０は記憶装置を備え、ＵＳＢポートがＰＣへの使用データの記録を可能にし、内部６４キロバイト不揮発性メモリに記録され、前記メモリが前記装置の運転モードに関するデータを記憶するように配置されている。前述のように、無線出力も制御システムの一部として提供されることができる。さらに、使用データのタイムスタンプのためにクロックモジュールも提供されることができる。
【００４７】
図示されていない圧力センサーも制御システム４０の一部として提供され、そして、空気袋内の圧力レベルを検出するために使用され、又は、追加的に血圧を検出するために使用される。検出された圧力レベルは、制御システムにより期待圧力レベルと比較され、それに応じて、制御システムが空気袋の膨張／収縮レベルを調節する。この方法により、本発明の装置はさらに、心拍計及び／又は血圧監視システムとして機能することができる。
【００４８】
本発明によると、それぞれの空気袋の膨張及び収縮は独立して制御される。このことは有利なことに、それぞれの空気袋が、例えば空気袋の膨張時間、空気袋の収縮時間、及び膨張又は収縮のいずれかの段階における空気袋内の圧力において相違することを可能にする。
【００４９】
図１〜５に最もよく図示されているように、前記装置は、患者の手足の周りに固定するための面ファスナー４８を備えている。しかしながら、図示されていない他の実施形態においては、空気袋を所定の場所に固定するために、ボタン、ジッパー、スナップ又は当該分野において知られている他の方法を使用することもできる。図示されていない更なる実施形態においては、管状形内を通して使用者の手足を挿入することができ、そして締結装置が必要なくなるように、空気袋は弾力性のある管状形内に組み込まれることができる。
【００５０】
図３〜５を参照にして、使用時に、前記装置は、相互接続された空気袋１８、２０及び２２を巻き付けることにより患者の手足５０に装着され、それにより、それぞれの空気袋は実質的に使用者の手足の周囲の周りに伸びており、面ファスナー４８を使用してその位置に固定される。このことは図３に最もよく図示されている。面ファスナー４８を使用して固定した後、図４に最もよく図示されているように、前記装置は手足５０の周りの位置に快適に保持される。この表示されている応用において、手足５０はふくらはぎの筋肉である。図示されているように、手足に固定されると、空気袋は手足の縦方向に互いに隣接して配置される。
【００５１】
それぞれの運転前に又は作動時に、制御システム４０が自己検査又は較正サイクルを実施することが提案されている。使用者はユーザインタフェースを作動して所望の運転モードを選択する。さらに、初期ブート安全性監視を実施することが提案されている。
【００５２】
運転モードは、使用者により選択される必要変数により予めプログラムすることができ、設定されたプログラムにより予め決定することができ、又はそれらを組み合わせることができる。運転モードは、特定の間隔、特定の期間、そして特定の圧力で、使用者の手足に加える圧縮力を特定するために構成されることもできると理解される。
【００５３】
これらの変数は、空気袋の膨張時間、空気袋の収縮時間、及び膨張又は収縮のいずれかの段階における空気袋内の圧力の内の１つ以上を制御することを含むことができる。好ましくは、制御システムは、上記の１つ以上の調整を可能にする閉ループフィードバックシステムを含む。上述のように、空気袋内の圧力は１０〜８０ｍｍＨｇの間のいずれかになるように選択することができる。
【００５４】
提案されている運転モードをさらに見ると、１つの提案されている運転モードにおいて、設定された時間間隔で一定した圧縮力を加えることが特定されている。この運転モードが実施されると、全ての選択された空気袋が、実質的に同時に所定の圧力で所定の期間にわたって膨張する。選択された空気袋の膨張が、使用者の手足に内向きの圧縮力を選択的に加える。この後、空気袋は所定の速度で収縮される。設定された時間間隔の後に、このサイクルが繰り返される。
【００５５】
もう１つの運転モードは、臨床試験又は過去の研究を通して決定された、着用者の必要性に応じた予めプログラムされた、又はプログラム可能な一連の収縮間隔及び収縮強度を適用することを特定することができる。
【００５６】
図５に図示されている１つの好ましい運転モードにおいて、空気袋は順次膨張される。このことは、第１の空気袋１８の膨張、その後の第２の空気袋２０の膨張に続いて、第３の空気袋２２の膨張が起こることを意味している。その後の第２の空気袋の膨張は、第１の空気袋の膨張中、膨張後、収縮中又は収縮後に起こることができ、第３の空気袋の膨張も同様である。
【００５７】
空気袋の順次の膨張は、使用者の手足の少なくとも一部にわたって圧迫を加えるのに有利に利用することができ、順次上に向かって圧迫を加え、それにより、使用者の上部への血流量及び静脈還流量を促進する。このような順序で本発明の装置を使用することは、上の２つの空気袋が順々に膨張するまで下部の空気袋が圧力を維持し、上から収縮することにより流れの一貫性が損なわれないという追加の利点を有する。下から順に膨張し、上から順に収縮することにより、有利に血流を常に心臓に向けることができ、そして足首から離れるように向けることができる。
【００５８】
１つの特別な順序によると、それぞれの空気袋は、１５〜３０秒間にわたって所定の圧力で順次膨張される。空気袋は約３０秒間膨張したままに保持され、その後１〜５秒間で素早く完全に収縮される。その後、このサイクルは一度に約１０分間運転され、その間に５分間の休憩を挟み、合計で２時間の治療が行われる。
【００５９】
本発明の装置１０は、エコノミー症候群（ＤＶＴ）又は慢性静脈障害（ＣＶＤ）の治療を有利に促進すると理解される。このリズミカルな圧迫が、着用者にエコノミー症候群の発生を有利に減少する、又はなくすことができる。また、前記装置は、手術後の患者及び静脈瘤又は慢性静脈疾患又はリンパ浮腫（長期の手足の腫れ）の患者の両方に使用することができる。また、前記装置１０は、整形外科手術及び腹部手術の術後の回復を促進するために使用することもできる。
【００６０】
前記装置１０は携帯用であり、したがって、自宅において、又はどんな場所でも、又は移動中であっても治療を行うことができる。患者はその動きを制限されることはなく、又はベッドに拘束されることもなく、又は病院に滞在させられることもない。有利なことに、本発明は、使用者が抑制されることなく日々の活動を継続することを可能にするために、使用者の手足に快適にフィットするように設計されている。さらに、本発明は移動可能であり、そして軽量であるから、使用に便利である。
【００６１】
その活用法及び潜在的な有効性は、治療を行う医者にインターネットを介してデータをアップロードすることができ、患者の経過を監視することができることである。さらに、共通の材料を使用して製造されるので比較的安く購入することができると提案されている。前記装置１０の設計は、使用者の炎症及び血管収縮の危険を軽減するために、空気圧制御及び電池管理回路を組み込んでいる。
【００６２】
膝及び臀部の置換手術の術後において、腫れ及びより長い低分子ヘパリン予防注射の必要性を減少するためにも有利に有用である。
【００６３】
本発明は特定の実施例を参照にして記載されているが、本発明は多数の他の形態を含むことができると当業者には理解される。
【符号の説明】
【００６４】
１０  携帯用装置
１２  ベースアセンブリ
１４  下部ベースプレート
１６  上部ベースプレート
１８  空気袋
２０  空気袋
２２  空気袋
２４  可変速空気ポンプ
２６  可変速空気ポンプ
２８  可変速空気ポンプ
３０  ＵＳＢポート
３２  ニップル
３４  ニップル
３６  ニップル
３８  充電式電池
４０  制御システム
４２  マイクロプロセッサ
４４  ＬＣＤディスプレイ
４６  カバー
４８  面ファスナー
５０  手足
５２  クリップ構成体
５４  クリップ構成体
５６  クリップ構成体
５８  開口
６０  開口
６２  開口
７０  コンピュータ
７２  タブレット
７４  スマートフォン
【図１】
0006669671.tif 000002
【図２】
0006669671.tif 000003
【図３】
0006669671.tif 000004
【図４】
0006669671.tif 000005
【図５】
0006669671.tif 000006
【図６Ａ】
0006669671.tif 000007
【図６Ｂ】
0006669671.tif 000008
【図７】
0006669671.tif 000009